(57)【特許請求の範囲】
【請求項１】
本体部と、エンジンによって駆動する発電機と、モータによって回転し揚力を発生させる回転翼とを有し、前記本体部に前記回転翼が複数取り付けられたマルチコプターであって、
前記本体部は環状部分を有する支持フレーム部と、当該支持フレーム部から放射状に外側のびるリブ部と、脚部とを有し、
前記リブ部の先端側に前記回転翼が取り付けられており、
前記支持フレーム部の中央部に、上下方向に貫通する通気流路があり、
当該通風流路の中に、前記エンジン又は発電機の少なくとも一方の少なくとも一部が配されていることを特徴とするマルチコプター。
【請求項２】
前記支持フレーム部の環状部分の内側に燃料タンクがあり、あるいは前記支持フレーム部の構造部材の断面内に燃料タンクとして機能する中空部があり、
これらの物が存在する状態において、前記通気流路が確保されていることを特徴とする請求項１に記載のマルチコプター。
【請求項３】
前記燃料タンク又は前記燃料タンクとして機能する部位は環状構造であり、前記環状構造で囲まれた領域が、前記通気流路の一部又は全部であることを特徴とする請求項２に記載のマルチコプター。
【請求項４】
前記支持フレーム部自体の内部に中空部があり、当該中空部に燃料を貯留可能であることを特徴とする請求項１乃至３のいずれかに記載のマルチコプター。
【請求項５】
前記支持フレーム部の環状部分に囲まれた領域に、燃料タンクが配されていることを特徴とする請求項１乃至３のいずれかに記載のマルチコプター。
【請求項６】
エンジンの回転軸が概ね上下方向に向けて配置されており、前記回転軸の端部又は回転軸と一体的に回転する部材を露出可能であることを特徴とする請求項１乃至５のいずれかに記載のマルチコプター。
【発明の詳細な説明】
【技術分野】
【０００１】
本発明は、一般に「ドローン」と称されるマルチコプターに関するものである。
【背景技術】
【０００２】
複数の回転翼（プロペラ）を有し、垂直離着陸するマルチコプターが知られている。マルチコプターは、当初、玩具として販売されたが、次第に高機能化し、航空写真の撮影や、物資の運搬等の業務用にも使用されつつある。また有人飛行が可能なマルチコプターも開発されている。
【先行技術文献】
【特許文献】
【０００３】
【特許文献１】特開２０１８−１２９７１３号公報
【発明の概要】
【発明が解決しようとする課題】
【０００４】
マルチコプターの回転翼は、モータで駆動される。そのためマルチコプターには、モータを駆動するための蓄電池が搭載されている。従来技術のマルチコプターは、蓄電池にためられた電気によってモータが回転され、飛行する。従って、従来技術のマルチコプターの航続距離は、蓄電池の容量に依存する。
本発明者らは、マルチコプターの航続距離を延ばす方策として、マルチコプターに発電機と当該発電機を駆動するエンジンを搭載し、飛行中に発電を行って、その電力で回転翼（プロペラ）を駆動する方式を発明した。
【０００５】
この方式のマルチコプターでは、エンジンや発電機を冷却する必要がある。本発明は、この問題に注目し、エンジンや発電機の冷却効率を向上させることができるマルチコプターを開発することを課題とするものである。
【課題を解決するための手段】
【０００６】
上記した課題を解決するための態様は、本体部と、エンジンによって駆動する発電機と、モータによって回転し揚力を発生させる回転翼とを有し、前記本体部に前記回転翼が複数取り付けられたマルチコプターであって、前記本体部には環状部分を有していて上下方向に通気性を有する支持フレーム部があり、当該支持フレーム部に前記エンジンと前記発電機が搭載されていることを特徴とするマルチコプターである。
同様の課題を解決するためのもう一つの態様は、本体部と、エンジンによって駆動する発電機と、モータによって回転し揚力を発生させる回転翼とを有し、前記本体部に前記回転翼が複数取り付けられたマルチコプターであって、前記本体部は環状部分を有する支持フレーム部と、当該支持フレーム部から放射状に外側のびるリブ部と、脚部とを有し、前記リブ部の先端側に前記回転翼が取り付けられており、前記支持フレーム部の中央部に、上下方向に貫通する通気流路があり、当該通風流路の中に、前記エンジン又は発電機の少なくとも一方の少なくとも一部が配されていることを特徴とするマルチコプターである。
上記した態様において、前記支持フレーム部の環状部分の内側に燃料タンクがあり、あるいは前記支持フレーム部の構造部材の断面内に燃料タンクとして機能する中空部があり、これらの物が存在する状態において、前記通気流路が確保されていることが望ましい。
上記した態様において、前記燃料タンク又は前記燃料タンクとして機能する部位は環状構造であり、前記環状構造で囲まれた領域が、前記通気流路の一部又は全部であることが望ましい。
【０００７】
エンジンの形式は限定されるものではなく、例えばレシプロエンジンやロータリーエンジン、タービンエンジン、ジェットエンジン等の公知のエンジンが採用可能である。またエンジンは水冷式であっても空冷式であってよい。
本態様のマルチコプターは、発電機を有しており、発電機によって発生させた電気をモータに供給することができる。そのため本態様のマルチコプターは、航続距離が長い。
本態様のマルチコプターは、環状であって、上下方向に通気性を有する支持フレーム部を有しており、当該支持フレーム部にエンジンと発電機がある。そのため、エンジンと発電機は、風通しの良い部位に配置され、冷却効率が高い。
【０００８】
上記した態様において、前記支持フレーム部の環状部分で囲まれた領域及び／又はその上下の領域に、前記エンジン又は発電機の少なくとも一方が配されていることが望ましい。
【０００９】
本態様によると、空間を有効利用することができ、マルチコプターの全体形状を小型化することができる。
【００１０】
上記した態様において、前記支持フレーム部の環状部分で囲まれた領域に機器が内蔵されており、当該機器が内蔵された状態において、前記支持フレーム部に上下方向に通気流路が確保されていることが望ましい。
【００１１】
本態様によると、エンジン等を通風環境下に置くことができ、エンジン等を冷却することができる。
【００１２】
上記した各態様において、前記支持フレーム部自体の内部に中空部があり、当該中空部に燃料を貯留可能であることが望ましい。
【００１３】
本態様のマルチコプターは、別途の燃料タンクが不要であり、空間を有効活用することができる。そのため機器や物品を搭載する領域を増大することができる。また燃料タンクに要する重量を低減することができる。
本態様のマルチコプターは、空間を有効活用することができ、全体を小型化することができる。
【００１４】
上記した各態様において、前記支持フレーム部の環状部分に囲まれた領域に、燃料タンクが配されていることが望ましい。
【００１５】
本態様のマルチコプターでは、燃料タンクが、支持フレーム部によって周囲が囲まれて保護されており、マルチコプターが墜落したり、何かに衝突した際に、燃料タンクが破損することが防がれる。
【００１６】
上記した態様において、エンジンの回転軸が概ね上下方向に向けて配置されており、前記回転軸の端部又は回転軸と一体的に回転する部材を露出可能であることが望ましい。
【００１７】
「概ね上下方向に向けて」とは、鉛直方向に限定されず、マルチコプターを水平姿勢に置いたとき、回転軸の延長線が、概ね上下に向けば足りる趣旨である。例えば回転軸と鉛直線とのなす角度が４５度以下の範囲である。
露出可能であるとは、外部から器具等を接続可能となる状態をいい、回転軸の端部又は回転軸と一体的に回転する部材が奥まった位置に設けられていてもよい。
本態様のマルチコプターでは、エンジンの回転軸が天地方向に向けて配置されている。そのため、外部の機器を利用してエンジンを始動させる際に、上から器具を押し当てることができ、マルチコプターが外力によって移動しにくく、始動しやすい。
また回転軸の端部又は回転軸と一体的に回転する部材を露出可能であるから、器具を接続しやすい。
【発明の効果】
【００１８】
本発明のマルチコプターは、発電機とエンジンを搭載するものであって、エンジンや発電機の冷却効率が高いという効果がある。
【図面の簡単な説明】
【００１９】
【図１】本発明の実施形態のマルチコプターの斜視図である。
【図２】図１のマルチコプターの分解斜視図である。
【図３】図１のマルチコプターを前進させる際における支持フレーム部近傍の空気の流れを示す説明図である。
【図４】関連発明の実施形態のマルチコプターの斜視図である。
【図５】図４のマルチコプターの各部の断面図であり、（ａ）はＡ−Ａ断面を示し、（ｂ）はＢ−Ｂ断面を示し、（ｃ）はＣ−Ｃ断面を示し、（ｄ）はＤ−Ｄ断面を示す。
【図６】本発明のさらに他の実施形態のマルチコプターの斜視図である。
【図７】図６のマルチコプターの分解斜視図である。
【図８】図６のマルチコプターの断面図である。
【図９】図６のマルチコプターの支持フレーム部を、環状構造部と、機器支持部に分離した時の様態を示す断面図である。
【図１０】図９の断面図から発電ユニットを削除した断面図である。
【図１１】図６のマルチコプターの支持フレーム部の環状構造部の分解斜視図である。
【図１２】図６のマルチコプターのリブ部及び回転翼部分の分解斜視図である。
【図１３】図６のマルチコプターの発電ユニットの斜視図である。
【図１４】発電ユニットの姿勢を説明する説明図であって、図６のマルチコプターの上部及びエンジン起動用のモータを概念的に図示するものである。
【発明を実施するための形態】
【００２０】
以下、本発明の実施形態について説明する。最初に、本実施形態のマルチコプター１の特徴部分を説明する。
本実施形態のマルチコプター１は、公知のそれと同様に、回転翼２を有し、当該回転翼２は、モータ２０によって回転する。
マルチコプター１は、公知のそれと同様に、制御装置２５（図２）と蓄電池２６を有し、当該蓄電池２６から制御装置２５及びモータ２０に給電される。
本実施形態のマルチコプター１には、発電機１１と、エンジン１６と、燃料タンク１７が搭載されている。発電機１１は、エンジン１６と一体化されており、エンジン１６を駆動することによって電気を発生させることができる。エンジン１６は、燃料タンク１７から燃料が供給されて回転する。
発電機１１は、蓄電池２６に接続されており、飛行中に発電機１１で発電し、直接、または蓄電池２６を介してモータ２０に給電される。
そのため、本実施形態のマルチコプター１は、航続距離が長い。
【００２１】
また本実施形態のマルチコプター１は、本体部３に環状の支持フレーム部１０がある。そして当該支持フレーム部１０の環状部分で囲まれた空間に、エンジン１６と発電機１１及び燃料タンク１７が配されている。
以下、これらについて説明する。
支持フレーム部１０は、浮き輪やドーナツの様な環状構造であり、中心部が大きく開口している。支持フレーム部１０は、上下方向に貫通しており、上下方向に通気性を有する。
支持フレーム部１０の中央部には、支持フレーム部１０の内壁で囲まれたフレーム側設置空間２７がある。フレーム側設置空間２７の平面形状は円形である。支持フレーム部１０の外郭形状についても円形である。
【００２２】
燃料タンク１７についても、概ね浮き輪やドーナツの様な環状構造であり、中心部が大きく開口している。そのため燃料タンク１７にも、中央部にタンク側設置空間２８がある。燃料タンク１７の外形形状は、円形である。燃料タンク１７の外径は、支持フレーム部１０の内径よりもわずかに小さい。中央のタンク側設置空間２８は、図２の様に長方形である。
燃料タンク１７についても、上下方向に貫通しており、上下方向に通気性を有する。
【００２３】
燃料タンク１７は、図２の様に、弦型の主貯留部３７が対向して配され、二つの主貯留部３７の間が比較的薄い連結部３５によって連結された形状となっている。
燃料タンク１７内には仕切は無く、内部は一つの燃料貯留空間となっている。
燃料タンク１７には、燃料供給口４０があり、当該燃料供給口４０には常時蓋４１がなされている。
燃料タンク１７には、燃料ホース４３が接続されている。
燃料タンク１７の上辺部であって、その周部には、取り付けリブ４５が４か所設けられている。
当該取り付けリブ４５には、ネジ挿通用の孔４６が形成されている。
【００２４】
エンジン１６は、二気筒の水平対向エンジンである。またエンジン１６は、水冷の２ストロークエンジンである。
エンジン１６には、インジェクター５０と、吸気フィルター５１と、マフラー５２が取り付けられている。本実施形態では、各シリンダー５５にマフラー５２が取り付けられている。
エンジン１６の出力軸には、発電機１１が直接的に接続されている。
本実施形態のマルチコプター１では、エンジン１６及びその付属品と、発電機１１が一体化されて一つの発電ユニット５７を構成している。
本実施形態では、エンジン１６の付属品は、インジェクター５０、吸気フィルター５１、及びマフラー５２である。
また実施形態のマルチコプター１は、ラジエター５８を備えている。
【００２５】
次に、前記した各部材のレイアウトについて説明する。
本実施形態のマルチコプター１では、支持フレーム部１０のフレーム側設置空間２７内に、燃料タンク１７と発電ユニット５７が配置されている。
即ちフレーム側設置空間２７の内周に、燃料タンク１７の外周が嵌り込んでいる。燃料タンク１７は、取り付けリブ４５が支持フレーム部１０の上面と接し、図示しないネジが挿通されて支持フレーム部１０に固定されている。
このように、本実施形態では、燃料タンク１７は円形かつ環状であり、支持フレーム部１０の環状部分の内側に沿って配置されている。
【００２６】
また燃料タンク１７のタンク側設置空間２８内に、発電ユニット５７が配置されている。
発電ユニット５７の配置方向は、図１の通りであり、シリンダー５５がタンク側設置空間２８の長手方向に沿って配され、発電機１１は、タンク側設置空間２８の短手方向に向いている。
発電ユニット５７のインジェクター５０と、燃料タンク１７の間は、燃料ホース４３等の燃料配管で接続されており、燃料タンク１７内のガソリンが、発電ユニット５７に供給される。
【００２７】
ラジエター５８は、支持フレーム部１０の外側に取り付けられている。ラジエター５８と、エンジン１６との間には、往き側ホース６０と戻り側ホース６１が接続されており、ラジエター５８と、エンジン１６との間で冷却水が循環する。
【００２８】
前記した様に、支持フレーム部１０は、浮き輪やドーナツの様な環状構造であり、中心部が大きく開口している。支持フレーム部１０は、上下方向に貫通しており、上下方向に通気性を有する。燃料タンク１７についても、上下方向に貫通しており、上下方向に通気性を有する。
そのため支持フレーム部１０内は、燃料タンク１７や発電ユニット５７等の機器が内蔵された状態において、上下方向に十分な通風面積を備えた通気流路が確保されている。即ち本実施形態では、燃料タンク１７のタンク側設置空間２８が直接的に支持フレーム部１０の上下面に開口しており、タンク側設置空間２８が上下方向の通気流路として機能する。
そして発電ユニット５７は、その通気流路（タンク側設置空間２８）内に配置されている。従って、発電ユニット５７は、上下方向が貫通していて上下方向に通気性を有する領域に配置されている。
【００２９】
マルチコプター１を飛行させるに際しては、燃料タンク１７に燃料が注入される。具体的には、燃料供給口４０を開いて燃料タンク１７の内部に燃料を補給する。
そしてエンジン１６を起動すると、発電機１１が回転し、発電が行われる。そして当該電力によってモータ２０が回転し、回転翼２が回転してマルチコプター１が飛ぶ。
【００３０】
本実施形態のマルチコプター１では、燃料タンク１７は、剛性が高い支持フレーム部１０で、略全周が囲まれている。
そのため燃料タンク１７は、剛性が高い支持フレーム部１０で保護され、墜落や衝突の衝撃を受けても耐えることができ、致命的な破損には至りにくい。そのため、衝突等の事故が発生しても、燃料の飛散が防がれ、安全性が高い。
また、本実施形態のマルチコプター１では、燃料タンク１７の外周面が、支持フレーム部１０の内周に沿って嵌り込んでいるので、無駄な空間が少ない。
さらに、燃料タンク１７の中央にあるタンク側設置空間２８に、発電ユニット５７が配置されているので、無駄な空間が少ない。
【００３１】
マルチコプター１を前進させる際は、やや前傾姿勢となる。そのため、図３に示すように、燃料タンク１７の通気流路（タンク側設置空間２８）に風が呼び込まれ、発電ユニット５７が通風環境下にさらされる。
そのため、発電ユニット５７が冷却される。
【００３２】
以下、マルチコプター１の細部について説明する。
本実施形態のマルチコプター１は、本体部３と、６個の回転翼２を有している。回転翼２の数は、６枚に限定されるものではなく、３枚以上であればよい。
本体部３は、環状の支持フレーム部１０と、リブ部３０と、機器載置部１３と、脚部１２を有している。
支持フレーム部１０は、無端環状に成形された部分である。本実施形態では、支持フレーム部１０の平面形状は、図１、図２の様に円形である。
【００３３】
支持フレーム部１０の断面形状は、縦長の長方形である。支持フレーム部１０は、炭素繊維等の軽く、且つ剛性が高い素材で作られている。
【００３４】
リブ部３０は、環状の支持フレーム部１０から放射状に外側に向かってのびている。
マルチコプター１が墜落したり、立木や電柱等と衝突したとき、マルチコプター１のリブ部３０が、支持フレーム部１０に先立ってぶつかることとなる。その結果、リブ部３０が折れる等の事態となり、リブ部３０が損傷する。しかしその反面、支持フレーム部１０に掛かる衝撃が緩和され、支持フレーム部１０の損傷が軽減される。本実施形態のマルチコプター１では、支持フレーム部１０によって囲まれた領域に燃料タンク１７があるので、燃料タンク１７の破損が防止され、燃料の漏出や飛散が防がれ、火災の原因となるとこが少ない。
【００３５】
機器載置部１３は、支持フレーム部１０の下部にあり、図示しない接続部材によって支持フレーム部１０に接続されている。
機器載置部１３には、前記した制御装置２５及び蓄電池２６が配置されている。
【００３６】
脚部１２は、支持フレーム部１０の下に垂下する脚部材１５を有している。本実施形態では、脚部１２は４本の脚部材１５が等間隔に配置されたものである。
【００３７】
ここで本実施形態のマルチコプター１は、飛行中にエンジン１６によって発電機１１が駆動され、発電機１１の電気でモータ２０が駆動される。また余剰の電力は、蓄電池２６に蓄電される。本実施形態では、発電機１１が蓄電池２６に接続されており、発電機１１の発電量が不足する場合には、蓄電池２６から不足分が補われる。そのため、モータ２０の駆動や、制御装置２５の動作が安定する。
また発電量が過大である場合には、蓄電池２６に蓄電される。そのため、本実施形態のマルチコプター１は、航続距離が長い。
【００３８】
以上説明した実施形態では、支持フレーム部１０の平面形状が円形であるが、楕円形であってもよく多角形であってもよい。
【００３９】
支持フレーム部１０とリブ部３０は、一体的に成形されたものであってもよいが、支持フレーム部１０とリブ部３０を個別に成形し、その後で両者を接続することも推奨される  支持フレーム部１０を共通部品として、複数のサイズのマルチコプターを製作することができる。本実施形態によると、部品の互換性が向上する。
【００４０】
また、本実施形態のマルチコプター１は、墜落等によって一部が破損した場合の修理が容易である。
【００４１】
以上説明した実施形態では、燃料タンク１７は、環状構造であるが、本発明は、この構造に限定されるものではない。例えば、平面形状が、「Ｃ」状であってもよい。また複数に分割されていてもよい。
【００４２】
以上説明した実施形態では、燃料タンク１７が、支持フレーム部１０で囲まれた領域に配置されているが、燃料タンクの位置は任意である。
また支持フレーム部１０の一部又は全部を空洞構造とし、支持フレーム部１０の壁や部材の中に燃料を貯留してもよい。
【００４３】
次に、本発明の関連発明の実施形態について説明する。
図４に示すマルチコプター１は、支持フレーム部１０の構造部材の中を中空にして燃料タンクとしたものである。マルチコプター１は、本体部３と、８個の回転翼２を有している。
本体部３は、環状の支持フレーム部１０と、リブ部３０と、機器載置部５と、脚部１２を有している。
支持フレーム部１０は、樹脂等で作られ、無端環状に成形された部分である。本実施形態では、支持フレーム部１０の平面形状は、図４の様に円形である。
【００４４】
支持フレーム部１０の断面形状は、縦長の長方形である。支持フレーム部１０は、全体にわたって管状であり、図４、図５（ａ）の様に内部に中空部８５が設けられている。当該中空部８５が、燃料タンクとして機能する。
【００４５】
支持フレーム部１０には、図４、図５（ｂ）に示すように、燃料供給口８６があり、当該燃料供給口８６には、栓８７が装着されている。燃料供給口８６は、支持フレーム部１０の上部に設けられている。
また支持フレーム部１０には、図４、図５（ｄ）に示すように、燃料取り出し口８８が設けられている。
燃料取り出し口８８は、支持フレーム部１０の下部に設けられている。燃料取り出し口８８の近傍は、支持フレーム部１０の底が、やや下方に窪んでおり、燃料だまり９０が設けられている。
燃料取り出し口８８と、発電機（正確にはエンジン９２）８３の間は、燃料ホース等の燃料配管９１で接続されている。
【００４６】
リブ部３０は、環状の支持フレーム部１０から放射状に外側に向かってのびている。図５（ｃ）の様に、リブ部３０も中空であるが、リブ部３０と、支持フレーム部１０との間には、壁９３があり、燃料はリブ部３０には入らない。
【００４７】
機器載置部５は、支持フレーム部１０で囲まれる円の中心部にあり、支線部材６によって支持フレーム部１０に接続されている。
機器載置部５には、発電機８３が設置されている。
【００４８】
支持フレーム部１０と機器載置部５との間には、十分な隙間９８がある。機器載置部５には貫通孔９７が多数設けられている。従って、支持フレーム部１０は、上下方向に貫通しており、上下方向に通気性を有する。そのため支持フレーム部１０内は、発電ユニット５７等の機器が内蔵された状態において、上下方向に十分な通風面積を備えた通気流路が確保されている。即ち本実施形態では、隙間９８及び貫通孔９７が直接的に支持フレーム部１０の上下面に開口しており、隙間９８及び貫通孔９７が上下方向の通気流路として機能する。
そして発電ユニット５７は、その通気流路（隙間９８及び貫通孔９７）で囲まれた位置に配置されている。従って、発電ユニット５７は、上下方向が貫通していて上下方向に通気性を有する領域に配置されている。
本実施形態においても、飛行中、支持フレーム部１０の隙間９８や貫通孔９７に風が呼び込まれ、発電ユニット５７が通風環境下にさらされる。
そのため、発電ユニット５７が冷却される。
【００４９】
さらに他の実施形態のマルチコプター１００について説明する。図６に示すマルチコプター１００は、図８に示すように、支持フレーム部１０５自身の一部に燃料タンクとなる中空部２００が設けられたものである。即ち、支持フレーム部１０５の外壁を構成する部分の下部側であって、壁の内部に中空部２００があり、当該中空部２００が燃料タンクとなっている。
本実施形態のマルチコプター１００は、本体部１０３と、４個の回転翼２を有している。回転翼２は、モータ２０によって回転する。
本体部１０３は、図６の様に、支持フレーム部１０５と、リブ部１０６と、制御機器載置部１０７と、脚部１２を有している。
【００５０】
リブ部１０６は、支持フレーム部１０５とは別に成形され、後で支持フレーム部１０５に取り付けられる。リブ部１０６は、図１２の様に、支持フレーム部１０５に取り付けられる固定部１６０と、アーム部１６１と、座部１６２が一体的に成型されたものである。座部１６２は、回転翼２を駆動するモータ２０を固定する部位である。座部１６２は、アーム部１６１に比べて大きく作らており、上面が平滑な取り付け面となっている。そして当該取り付け面の表面にねじを挿通するための孔１６５が設けられている。
【００５１】
制御機器載置部１０７は、図８の様に、ピアノ線の様な硬質の吊り下げ部材１６６によって、支持フレーム部１０５の下部に距離をあけて取り付けられている。支持フレーム部１０５と制御機器載置部１０７の間には隙間がある。制御機器載置部１０７には、通信機器や、姿勢制御装置等が搭載されている。
【００５２】
支持フレーム部１０５は、環状構造部１１１と、支持構造部１０２を有している。環状構造部１１１は外観形状が環状であって、中心部には図８の様に、上下に連通する空洞部１０８がある。そして当該空洞部１０８を含む領域に、発電ユニット１１０が内蔵されている。
また本実施形態では、支持フレーム部１０５自身の一部に中空部２００があり、当該中空部２００が燃料タンクとして機能する。中空部２００の内面は、軟質の樹脂でコーティングするか、軟質の樹脂で内張りをおこなうことが推奨される。
軟質の樹脂で内張りすることにより、衝撃を受けて支持フレーム部１０５に亀裂が生じた際に、燃料の漏出を防ぐことができる。
また中空部２００内に耐油性軟質樹脂（ゴムなど）で製作された燃料バッグ（ブラダー）を内蔵させ、支持フレーム部１０５に直接燃料が触れない構造とすることも、燃料の漏洩を防ぐ目的として有効である。
【００５３】
支持フレーム部１０５の環状構造部１１１は、無端環状に成形された部分である。本実施形態では、環状構造部１１１の平面形状は、図６の様に円形である。環状構造部１１１は、炭素繊維等の軽く、且つ剛性が高い素材で作られている。
【００５４】
環状構造部１１１は、図７に示すように、外郭部材１１２と中蓋部材（蓋部材）１１３とによって構成されている。
外郭部材１１２は、外筒状の外側周壁部１１５と、内筒状の内側周壁部１１７と、両者の下端部を繋ぐ底壁部１１８を有している。外郭部材１１２には、図９乃至図１１の様に、外側周壁部１１５の内周を取り巻く環状の溝部１２０がある。溝部１２０は、上面が解放されている。外郭部材１１２の中央には、大きな開口１２１がある。
外側周壁部１１５を単体でみると、平面断面が円形であり、筒状を呈している。
内側周壁部１１７も平面断面が円形であり、筒状である。内側周壁部１１７は、外側周壁部１１５と同心であり、外側周壁部１１５によって囲まれた領域に立設されている。内側周壁部１１７は、外側周壁部１１５よりも高さが低く、上端に内フランジ１２２が形成されている。
【００５５】
外側周壁部１１５の側面には、リブ取り付け部１４０が４か所に設けられている。リブ取り付け部１４０は、リブ部１０６の端部が固定されるものであり、嵌合部１５８を有している。嵌合部１５８は、縦溝状であり、当該縦溝の開口部は、幅が狭められていてスリット状となっている。
【００５６】
中蓋部材１１３は、一端側に内フランジ１２５が設けられて半ば閉塞された短い筒状の部材である。
中蓋部材１１３は、前記した外側周壁部１１５の内壁にぴったりと挿入される筒状の内筒部１２３を有し、当該内筒部１２３の一端に内フランジ１２５が設けられたものである。中蓋部材１１３の内フランジ１２５の内径は、外郭部材１１２の内側周壁部１１７の内フランジ１２２の内径と略等しい。
【００５７】
環状構造部１１１は、外郭部材１１２の凹状部内に、中蓋部材１１３がはめ込まれたものである。
即ち、外郭部材１１２に中蓋部材１１３が挿入され、外郭部材１１２の内フランジ１２２と、中蓋部材１１３の内フランジ１２５の中心側の面が合わされ、両者の間がねじ１４５等の締結要素で結合されている。
そして中蓋部材１１３の内フランジ１２５によって、外郭部材１１２の溝部１２０の上面の開口が封鎖されている。
その結果、外郭部材１１２の溝部１２０と、内筒部１２３の一端に内フランジ１２５に囲まれた、環状の中空部２００が形成されている。そして、当該環状の中空部２００が燃料タンクとして機能する。
本実施形態では、中空部２００につながる燃料供給口８６があり、当該燃料供給口８６には、栓８７が装着されている。燃料供給口８６は、支持フレーム部１０５の外側面に設けられている。
【００５８】
環状構造部１１１は、支持フレーム部１０５の一部であって、その外壁を構成する部材である。本実施形態では、支持フレーム部１０５の下部側が内側に向かって膨らみ、当該膨らみ部の中が前記した中空部２００となり、燃料が貯留される。
【００５９】
環状構造部１１１内における上部側の領域は、円筒形の大空洞部１３７となっている。また環状構造部１１１内には、内側周壁部１１７によって、小空洞部１３８が形成されている。大空洞部１３７の上部側は解放されている。大空洞部１３７の下部側は、内側周壁部１１７によって構成される小空洞部１３８を介して下部側に連通している。この様に、支持フレーム部１０５の環状構造部１１１内には、大空洞部１３７と小空洞部１３８によって構成される空洞部１０８がある。
【００６０】
支持構造部１０２は、中間蓋部材１４６と、支持部材１２６及び外蓋部材１２７を有している。
中間蓋部材１４６は、円環状の支持枠部１５５と、当該支持枠部１５５の内縁側から垂下された垂下部１５６を有し、当該垂下部１５６の下端に内フランジ１５７が形成された部材である。中間蓋部材１４６は、上下方向に貫通している。
支持枠部１５５には、小蓋部１４７が４個設けられている。
【００６１】
支持部材１２６は、上側環状部材１３０と、下側環状部材１３１を有し、両者の間が接続部材１３２で接続されたものである。接続部材１３２は、複数の板状部１３３によって構成されており、板状部１３３同士の間には大きな隙間１４１がある。
【００６２】
外蓋部材１２７は、複数の開口を有するドーム状の蓋である。即ち外蓋部材１２７は、中央部に開口１４２がある。また側方にも開口１４３がある。
【００６３】
支持構造部１０２は、前記した中間蓋部材１４６と、支持部材１２６及び外蓋部材１２７がネジ等によって結合されたものである。
本実施形態では。図１０の様に、中間蓋部材１４６の支持枠部１５５に、支持部材１２６の上側環状部材１３０が、ネジ１６７等の締結要素によって結合されており、支持部材１２６の接続部材１３２及び下側環状部材１３１が、中間蓋部材１４６の開口内に入り込んでいる。
また支持部材１２６の上に外蓋部材１２７が取り付けられている。
【００６４】
本実施形態では、支持構造部１０２の中間蓋部材１４６が、環状構造部１１１の外側周壁部１１５に取り付けられており、支持部材１２６の接続部材１３２及び下側環状部材１３１は、支持フレーム部１０５の外郭部材１１２で囲まれた空間内に配されている。
また下側環状部材１３１及びその近傍の接続部材１３２は、内側周壁部１１７によって構成される小空洞部１３８の中に入り込んでいる。
【００６５】
発電ユニット１１０は、エンジン１３５及びその付属品と、発電機１１が一体化されたものである。エンジン１３５には、インジェクター（図示せず）と、吸気フィルター５１と、マフラー（図示せず）が取り付けられている。
エンジン１３５は、単気筒、空冷の２ストロークエンジンである。エンジン１３５のクランク軸（回転軸）１５０の一端側には、発電機１１が直接的に接続されている。また図１３、図１４の様に、クランク軸（回転軸）１５０の一端側には、模型飛行機のスピナーコーン１５１が取り付けられている。スピナーコーン１５１は、エンジン１３５のクランク軸（回転軸）１５０と一体的に回転する。
【００６６】
本実施形態では、発電ユニット１１０は、図８、図９、図１４の様に、クランク軸（回転軸）１５０を上下方向に向け、且つ発電機１１を下部側にした姿勢で、支持部材１２６と、外蓋部材１２７の間で形成される領域に配されている。
本実施形態では、図８、図９の様に、発電機１１が、支持部材１２６の下側環状部材１３１に接続されている。また図６の様に、クランク軸（回転軸１５０）の他端側に取り付けられたスピナーコーン１５１が、外蓋部材１２７の中央部の開口１４２から外部に突出している。また吸気フィルター５１についても開口１４３から外部に突出している。
【００６７】
発電ユニット１１０は、発電機１１の全部と、エンジン１３５の一部が、環状構造部１１１の環状部分で囲まれた領域にあり、エンジン１３５の他の一部は、環状構造部１１１の環状部分で囲まれた領域の上の領域にある。
【００６８】
発電ユニット１１０を起動する際には、図１４の様に、外部に突出したスピナーコーン１５１に、エンジン起動用のモータ１５３を接続する。そしてモータ１５３を回転することによって、発電ユニットのエンジン１３５を起動する。
本実施形態によると、エンジン１３５を起動する際に係合させる部材が、外部に露出しているので、エンジン起動用のモータ１５３を接続しやすい。
またエンジン１３５のクランク軸（回転軸）１５０が、天地方向に配置されているので、エンジン起動用のモータ１５３を接続しやすい。
即ち、エンジン起動する際には、エンジン起動用のモータ１５３のコネクター１４８を、スピナーコーン１５１に押し付ける必要があるが、本実施形態では、コネクター１４８を上から下に向かって押圧することになるので、スピナーコーン１５１が逃げない。
【００６９】
クランク軸（回転軸）１５０の姿勢は、マルチコプター１００を水平姿勢に置いたとき、垂直方向に延びていることが推奨されるが、概ね上下方向に向いていれば、始動の際にマルチコプター１００が動きにくい。
クランク軸（回転軸）１５０の向きは、鉛直方向に対して４５度以下であることが推奨され、望ましくは、３０度以下である。より望ましい角度は、鉛直方向に対して５度以下である。
【００７０】
本実施形態のマルチコプター１００は、外蓋部材１２７に開口１４２、１４３があり、当該開口１４２、１４３によって、支持フレーム部１０５の内外が連通している。また支持フレーム部１０５の下部は、小空洞部１３８を介して外部に開放されている。
そのため、本実施形態のマルチコプター１００では、空洞部１０８の上下が連通しており、当該、連通する部分に発電ユニット１１０が配置されている。
即ち本実施形態では、大空洞部１３７と小空洞部１３８によって構成される空洞部１０８が上下方向の通気流路として機能する。
そして発電ユニット１１０は、その通気流路で囲まれた位置に配置されている。従って、発電ユニット１１０は、上下方向が貫通していて上下方向に通気性を有する領域に配置されている。
本実施形態においても、飛行中、支持フレーム部１０５の空洞部１０８に風が呼び込まれ、発電ユニット１１０が通風環境下にさらされる。
そのため、発電ユニット１１０が冷却される。
【００７１】
以上説明した実施形態では、発電機１１の全部と、エンジン１３５の一部が、環状構造部１１１の環状部分で囲まれた領域にあり、エンジン１３５の他の一部は、環状構造部１１１の環状部分で囲まれた領域の上の領域にあるが、環状構造部１１１の環状部分で囲まれた領域にエンジン１３５の全部が収容されていてもよい。
またエンジン１３５や発電機１１の一部または全部が、環状構造部１１１の環状部分で囲まれた領域の上の領域又は下の領域にあってもよい。
【００７２】
以上説明した実施形態では、エンジン１３５の端部にスピナーコーン１５１を設けた。当該スピナーコーン１５１は、模型飛行機の部材であり、本実施形態では、本来の用途を離れて、エンジン起動用のモータ１５３を係合させるための係合片として活用している。エンジン起動用のモータ１５３を係合させるための部材は、スピナーコーン１５１に限定されるものではなく、他の係合片であってもよい。また係合片は無くてもよい。
本実施形態では、係合片となるスピナーコーン１５１が常時外部に露出しているが、蓋を外す等の行為によって、露出させてもよい。
なお露出するとは、外部から部材を接続可能となる状態をいい、係合片が奥まった位置に設けられていてもよい。
【００７３】
以上説明したマルチコプターは、いずれも燃料タンクまたは燃料タンクに相当する部材を有している。
そのため、燃料の残量が少なくなった場合、燃料タンクや、燃料を貯留する支持フレーム部に空気層ができ、全体の比重が低下する。
仮に上記したマルチコプターが、池や海に墜落し、その際に燃料が少ない状態であるならば、マルチコプターは水面に浮く。そのため、墜落したマルチコプターを回収することができる。
【００７４】
以上説明したマルチコプターは、蓄電池を備えているが、蓄電池を省略し、発電機から直接モータ２０や制御装置に給電してもよい。
【符号の説明】
【００７５】
１、１００  マルチコプター
２    回転翼
３、１０３  本体部
１０、１０５  支持フレーム部
１１  発電機
１６、９２、１３５  エンジン
２０  モータ
２７  フレーム側設置空間
２８  タンク側設置空間
８５  ２００  中空部
１０８  空洞部
１１０  発電ユニット
１３７  大空洞部
１３８  小空洞部
１５０  回転軸
【要約】
【課題】エンジンや発電機の冷却効率を向上させることができるマルチコプターを開発することを課題とする。
【解決手段】本体部１０３と、エンジン１３５によって駆動する発電機１１と、モータ２０によって回転し揚力を発生させる回転翼２を有し、前記本体部１０３に前記回転翼２が複数取り付けられたマルチコプター１００であって、前記本体部１０３には環状であって、上下方向に通気性を有する支持フレーム部１０５があり、当該支持フレーム部１０５に前記エンジン１３５と前記発電機１１が搭載されている。
【選択図】図８【図１】
0006856910.tif 000002
【図２】
0006856910.tif 000003
【図３】
0006856910.tif 000004
【図４】
0006856910.tif 000005
【図５】
0006856910.tif 000006
【図６】
0006856910.tif 000007
【図７】
0006856910.tif 000008
【図８】
0006856910.tif 000009
【図９】
0006856910.tif 000010
【図１０】
0006856910.tif 000011
【図１１】
0006856910.tif 000012
【図１２】
0006856910.tif 000013
【図１３】
0006856910.tif 000014
【図１４】
0006856910.tif 000015